(57)【要約】【課題】練習によって適正なスイングを体得でき、特に練習の際にクラブフェースの向きを簡易且つ容易にチエックしてこれをスイング練習に反映させることができるゴルフ練習具を提供する。【解決手段】グリップ部６が設けられた第１シャフト体２とグリップ部７が設けられた第２シャフト体３を所定間隔で略平行に配置するとともに、グリップ部６がグリップ部７よりも手前側に位置するように該各グリップ部６、７の位置を各シャフト体２、３の間で相対偏位させる。係る構成によれば、ゴルフ練習具の構造が極めて簡単であり、これをより安価に提供できる。また、第１シャフト体２のグリップ部６が第２シャフト体３の上記グリップ部７よりも手前側に位置しているため、グリップ状態において、グリップ部７がグリップ部６をグリップしている左手５５と干渉するということがなく、各グリップ部６，７を容易且つ的確に掴んでスムーズにスイングすることができる。【選択図】図１
2012016554.tif 000002
【特許請求の範囲】
【請求項１】
一端（２ａ）側にグリップ部（６）が設けられた第１シャフト体（２）と一端（３ａ）側にグリップ部（７）が設けられた第２シャフト体（３）を所定間隔で略平行に配置するとともに、上記グリップ部（６）が上記グリップ部（７）よりも手前側に位置するように該各グリップ部（６）、（７）の位置を上記第１シャフト体（２）と上記第２シャフト体（３）の間で相対偏位させた状態で一体化して構成されたことを特徴とするゴルフ練習具。
【請求項２】
請求項１において、
上記第１シャフト体（２）の表面色と上記第２シャフト体（３）の表面色を異ならせたことを特徴とするゴルフ練習具。
【請求項３】
請求項１又は２において、
上記第１シャフト体（２）と上記第２シャフト体（３）が軽量構造とされるとともに、該各シャフト体（２），（３）の他端（２ｂ）、（３ｂ）側に錘体（１０）が設けられていることを特徴とするゴルフ練習具。
【発明の詳細な説明】
【技術分野】
【０００１】  本願発明は、インパクトポイントでのクラブフェースの向きに着目した理想的なゴルフクラブのスイングを体得するためのゴルフ練習具に関するものである。
【背景技術】
【０００２】  図１３の（イ）、（ロ）には、一般的なクラブスイングにおけるアドレス状態を略示している。このアドレス状態では、ゴルフクラブ６０を左手５５と右手５６でグリップし、ゴルフクラブ６０の先端側のクラブフェースのロフト角が適正となるように該クラブフェースの向きを調整して構える。そして、このアドレス状態からティクバックし、さらにトップからダウンスイングすることで、インパクトポイント（即ち、アドレスポイント）においては、アドレス時点で調整したクラブフェースの向きが維持された状態でボールが打撃されることで、当該番手のゴルフクラブ６０が想定した飛球方向への飛球が実現される。【０００３】  しかし、このスイングは、アドレスで調整したクラブフェースの向きが、ティクバック後のダウンスイングでのインパクトポイントにおいても維持されることを前提とした理想的なスイングであって、ゴルファはこの理想的なスイングを心掛けているところであるが、この理想的なスイングを実際のゴルフスイングに反映させることは容易ではない。【０００４】  即ち、本来、人には「利き腕」があるため、例えば、右利きの人は無意識のうちに右腕５４に左腕５３よりも大きな力が入り、逆に左利きの人は左腕５３に右腕５４よりも大きな力が入り、これによって左右のグリップ状態が本来想定したグリップ状態から変化し易くなり、またこのグリップ状態の変化に伴って、腕が挙動の容易な方向へ変化し易くなり、左腕５３あるいは右腕５４が外側へ折れ曲がって所謂「脇があく」状態になり易い。【０００５】  この結果、例えアドレスにおいてクラブフェースが適正なロフト角を形成するようにクラブフェースの向きを調整して構えていたとしても、アドレスからティクバックへのバックスイングの途中で、あるいはトップからインパクトポイントへのダウンスイングの途中において、無意識のうちにゴルフクラブが捻られ、インパクトポイントにおいてはクラブフェースのロフト角が適正状態から微妙に変化して、アドレス時点で想定した飛球方向が実現されないことになる。【０００６】  このようなスイング途中でのクラブフェースの向きの変化を少なくするには、スイング練習によってスイングを矯正し且つこれを体に覚え込ますことが最も早道で確実な方法であると考えられ、このような観点からのゴルフ練習具も既に提案されている（例えば、特許文献１、２  参照）。【０００７】  特許文献１に示されるゴルフ練習具は、クラブヘッドとグリップを装着した正シャフトとグリップを装着した副シャフトを、各グリップ位置を軸方向（シャフト長手方向）の同一位置に揃えた状態で、例えば、右利き用のゴルフ練習具である場合には正シャフトの左側に副シャフトが位置するようにして所定間隔で平行に配置して構成される。そして、このゴルフ練習具の使用に際しては、使用者は、左右の手を、体の前で交差させることなく、そのまま前方へ伸ばし、該使用者が右利きである場合には、左手で正シャフトのグリップを、右手で副シャフトのグリップを、それぞれ掴み、この状態でスイングの練習を行うものである。【０００８】  特許文献２に示されるゴルフ練習具は、通常のゴルフクラブのシャフトの上部に、短いシャフトを備えた補助グリップを、上記��ルフクラブのクラブフェースに略直交する方向へ偏位させた状態で固定したものである。この場合、右利き用のゴルフクラブではそのシャフトの左側に上記補助シャフトが偏位して固定され、左利き用のゴルフクラブではそのシャフトの右側に上記補助シャフトが偏位して固定される。そして、右利き用のゴルフクラブでは、該ゴルフクラブのグリップを左手でグリップし、補助シャフトのグリップを右手でグリップする。逆に、左利き用のゴルフクラブでは、該ゴルフクラブのグリップを右手でグリップし、補助シャフトのグリップを左手でグリップする。即ち、左利き用のであっても右利き用であっても、常にクロスハンドでゴルフクラブのグリップと補助シャフトのグリップをクロスハンドで握ってスイングの練習を行うものである。
【先行技術文献】
【特許文献】
【０００９】
【特許文献１】  特開２００６−２２３７４４号公報
【特許文献２】  特開平８−２８０８６７号公報
【発明の概要】
【発明が解決しようとする課題】
【００１０】  ところが、上掲各特許文献に示されたゴルフ練習具ではそれぞれ以下のような問題がある。【００１１】  特許文献１に示されたゴルフ練習具では、段落「００３１」に「スイング中に正シャフトと副シャフトを同一面内で動かすために、水平板を装着してもよい。この水平板はスイングの途中でクラブフェースの向きをチエックするのに役立つ」、段落「００３２」に「正しいバックスイングでは、腰の位置で水平板が地面に水平になり、クラブフェースの向きがアドレス正面に向くことになるが、水平板の向きに注意することにより、真っ直ぐに飛ばすためのクラブヘッドのフェース面がチエックできる」とあり、スイング中におけるクラブフェースの向きの確認は水平板の向きで行うものと考えられる。しかし、この水平板はゴルフクラブの長さから考えて短く、且つこれがシャフトの先端寄りに設けられており使用者からの視点距離が長いことから、スイング中において上記水平板の向きを視認することは容易ではなく、特に水平板が地面に対して水平であるか否かをスイング中に判断することは難しく、その結果、スイング中におけるクラブフェースの向きの確認機能は殆ど達し得ないものと考えられる。【００１２】  さらに、正シャフトのグリップと副シャフトのグリップが左右方向（スイング方向）に前後して配置された構成であることから、特にティクバックとフォロスルーにおいては左肩と左手の間隔と右肩と右手の間隔の差が大きくなるため、スイングに違和感が生じることとなり、その結果、スイング練習によって円滑なスイングを体得するというゴルフ練習具の本来的な目的の達成も十分とは言えないものである。【００１３】  また、本来のゴルフクラブで構成される正シャフトに、該正シャフトに近い長さをもつ副シャフトを付設し、これをスイングさせて練習を行うものであることから、練習時におけるクラブ重量（即ち、正シャフトと副シャフトの合算重量）と、ラウンドプレーにおけるクラブ重量（即ち、正シャフトのみの重量）との差が大きく、このためゴルフ練習具を使用しての練習によって体得したスイング感覚とラウンドプレーでのゴルフクラブのスイング感覚との差が大きく、その結果、ゴルフ練習具を用いたスイング練習の効果をラウンドプレーにおいて十分に反映させることも難しい。【００１４】  特許文献２に示されたゴルフ練習具では、ゴルフクラブのグリップと補助グリップとをクロスハンドでグリップする構成であることから、「脇を締めたスイング」についての練習効果は得ることができると考えられる。しかし、このゴルフ練習具では、特にティクバック時においては利き腕側の手が他の手に側に乗り上げる状態となるが、これについては、段落「００２０」に「利き腕側の手首が折れて正しいスイングが維持される」としているが、実際的には、利き腕側の手は無意識のうちに安楽な挙動をとり、その手首を曲げることなく他の腕側から離れる方向へ移動しようとするのが常であり、この安楽な挙動の結果、ゴルフクラブがその軸回りに捻られてクラブフェースの向きがアドレス時における適正な向きから変化し、その結果、インパクトポイントにおけるクラブフェースの向きがアドレスにおいて調整したな適正向きとは異なったものとなり易い。��の結果、ゴルフ練習具を用いてスイング練習によってインパクトポイントにおけるクラブフェースの向きを適正方向へ修正して理想的なスイングを体得するというゴルフ練習具の本来的な目的の達成も困難となる。【００１５】  また、特許文献１に示されるゴルフ練習具では正シャフトと副シャフトが、特許文献２に示されるゴルフ練習具では通常のゴルフクラブと短いシャフトを備えた補助グリップが、それぞれ使用者の体前において左右方向に並ぶ構成であることから、使用者の利き腕に応じて、上記副シャフトの上記正シャフトに対する配置方向を、あるいは上記補助グリップに対する上記通常のゴルフクラブに対する配置方向を、それぞれ設定することが必要であって、スイング練習を行う際における準備操作が煩雑で、使い勝手が悪いものである。【００１６】  そこで本願発明は、練習によって適正なスイングを確実に体得でき、特に練習の際にクラブフェースの向きを簡易且つ容易にチエックしてこれをスイング練習に反映させることができるゴルフ練習具を提供することを目的としてなされたものである。
【課題を解決するための手段】
【００１７】  本願発明ではかかる課題を解決するための具体的手段として次のような構成を採用している。【００１８】  本願の第１の発明に係るゴルフ練習具では、一端２ａ側にグリップ部６が設けられた第１シャフト体２と一端３ａ側にグリップ部７が設けられた第２シャフト体３を所定間隔で略平行に配置するとともに、上記グリップ部６が上記グリップ部７よりも手前側に位置するように該各グリップ部６、７の位置を上記第１シャフト体２と上記第２シャフト体３の間で相対偏位させた状態で一体化したことを特徴としている。【００１９】  本願の第２の発明では、上記第１の発明に係るゴルフ練習具において、上記第１シャフト体２の表面色と上記第２シャフト体３の表面色を異ならせたことを特徴としている。【００２０】  本願の第３の発明では、上記第１又は第２の発明に係るゴルフ練習具において、上記第１シャフト体２と上記第２シャフト体３を軽量構造とするとともに、該各シャフト体２，３の他端２ｂ、３ｂ側に錘体１０を設けたことを特徴としている。
【発明の効果】
【００２１】  （ａ）本願の第１の発明に係るゴルフ練習具によれば、一端２ａ側にグリップ部６が設けられた第１シャフト体２と一端３ａ側にグリップ部７が設けられた第２シャフト体３を所定間隔で略平行に配置するとともに、上記グリップ部６が上記グリップ部７よりも手前側に位置するように該各グリップ部６、７の位置を上記第１シャフト体２と上記第２シャフト体３の間で相対偏位させた状態で一体化したことから、以下のような効果が得られる。【００２２】  （ａ−１）ゴルフ練習具が単なるシャフト体２、３を備えて構成されるころから、例えば、その一部として通常使用されるゴルフクラブを用い、且つこれに別部材を付設するような構成の場合に比して、その構造が極めて簡単であり、該ゴルフ練習具をより安価に提供できる。【００２３】  （ａ−２）本願発明のゴルフ練習具は、上記第１シャフト体２と上記第２シャフト体３を、該第１シャフト体２が上記第２シャフト体３の下側に位置するようにゴルフ練習具１の軸心回りの位置を設定した状態で、上記第１シャフト体２の上記グリップ部６を反利き腕側の手（例えば、左手５５）でグリップし、上記第２シャフト体３の上記グリップ部７を利き腕側の手（例えば、右手５６）でグリップするようにしており、これによって以下のような効果が得られる。【００２４】  （ａ−２−イ）上記第１シャフト体２と上記第２シャフト体３を、該第１シャフト体２が上記第２シャフト体３の下側に位置するようにこれらの相対位置を設定し、常に反利き腕側の手で上記第１シャフト体２の上記グリップ部６を、利き腕側の手で上記第２シャフト体３の上記グリップ部７をそれぞれ握ることから、ゴルフ練習具１の使用者が右利きであっても、左利きであっても、同じゴルフ練習具１をそのまま使用することができ、例えば、特許文献１及び特許文献に記載のゴルフ練習具のように使用者の利き腕に対応して副シャフトあるいは補助グリップの装着方向を変える必要がある場合に比して、操作が簡便で使い勝手が良好である。【００２５】  （ａ−２−ロ）上記第１シャフト体２の上記グリップ部６が上記第２シャフト体３の上記グリップ部７よりも手前側に位置しているため、グリップ状態において上記第２シャフト体３の上記グリップ部７が上記第１シャフト体２の上記グリップ部６を握っている左手５５と干渉するということがなく、上記ゴルフ練習具の円滑なスイングが実現される。【００２６】  （ａ−２−ハ）上記第２シャフト体３の上記グリップ部７が上記第１シャフト体２の上記グリップ部６に対してその前側上方に位置することから、上記グリップ部６を左手５５で、上記グリップ部７を右手５６で、それぞれ握る場合には、例えば、同一のグリップ部を左手５５と右手５６で前後して握るような場合に比して、上記グリップ部６と上記グリップ部７が上下方向に離間している分だけ、左手５５と右手５６の開き（即ち、左脇と右脇の開き）に対する規制作用が大きくなり、必然的に「脇を締めたスイング」が実現される。【００２７】  （ａ−２−ニ）アドレスにおいてゴルフ練習具を構えた場合、使用者から見て、上記第１シャフト体２と上記第２シャフト体３が上下方向に重なって恰も一本のシャフトであるかの如く視認される状態が該ゴ���フ練習具１の最適な姿勢であり、例えば、ゴルフクラブをイメージしたときには、そのクラブヘッドのロフト角（クラブフェースが鉛直線となす角度）が適正角度に設定された状態（換言すれば、クラブフェースの向きが適正方向に設定された状態）であり、この重なり状態が崩れるほど（即ち、クラブフェースの向きが適正方向からずれるほど）上記第２シャフト体３の側方からの上記第１シャフト体２の覗き量が増加する。この場合、使用者は、上記第１シャフト体２と上記第２シャフト体３のずれ状態を、使用者の視点での上記第１シャフト体２と上記第２シャフト体３の投影幅の増減変化として容易にこれを認識できるので、アドレス状態における上記ゴルフ練習具の姿勢（軸方向回りの姿勢）をチエックし且つこれを修正して上記ゴルフ練習具を正しい姿勢とした状態でスイング練習に移行することができる。【００２８】  また、このような上記第１シャフト体２と上記第２シャフト体３のずれ状態の確認は、使用者の手元近くで且つ該各シャフト２、３の全長に亘る長い範囲における該各シャフト２、３の投影幅の増減変化を視認して行うものであることから、容易且つ正確に確認することができ、延いてはスイング状態のチエック機能が促進されることになる。【００２９】  （ａ−２−ホ）上記アドレス状態からティクバックしてトップからダウンスイングし、インパクトポイントを超えてフォロスルーに至るまでの間において、使用者は上記第１シャフト体２と上記第２シャフト体３の投影幅の変化状態を視認することで、逐次クラブフェースの向きの適正性をチエックし、且つ修正することができるため、スイング領域の広い範囲に亘って適正なクラブフェースの向きの下でスイングの練習を行うことができる。このことは、アドレスで設定したクラブフェースの適正な向きを維持したままスイングを行うことができ、インパクトポイントではクラブヘッド毎にその番手に応じて設定されたロフト角でボールを打撃することができるということであり、係る理想的なスイングを本願発明のゴルフ練習具を用いてスイング練習を行うことで容易に体得できるものである。【００３０】  （ｂ）本願の第２の発明に係るゴルフ練習具によれば、上記（ａ）に記載の効果に加えて、以下のような特有の効果が得られる。即ち、この発明では、上記第１シャフト体２の表面色と上記第２シャフト体３の表面色を異ならせているので、使用者は、上記第１シャフト体２と上記第２シャフト体３のずれ状態を、使用者の視点での上記第１シャフト体２と上記第２シャフト体３の投影幅の増減変化として（即ち、形状的な変化として）認識するのに加えて、上記第１シャフト体２と上記第２シャフト体３の重なる程度（ずれ状態）を色彩の変化としても認識することができ、それだけスイング状態のチエック機能がより一層促進される。【００３１】  （ｃ）本願の第３の発明に係るゴルフ練習具によれば、上記（ａ）又は（ｂ）に記載の効果に加えて、以下のような特有の効果が得られる。即ち、一般にゴルフ練習具は頻繁に使用され、また一回の使用時間も比較的長いものになると想定されるところ、このゴルフ練習具が重いものであると、スイング練習に伴う体への負担が大きくなることから使用頻度が低下し、場合に��っては使用しなくなることも考えられ、使用によって練習効果を出すことを狙ったゴルフ練習具としては不本意なものとなる。一方、ゴルフ練習具が軽量過ぎると、このゴルフ練習具を用いたスイングの感覚が、実際のゴルフクラブをスイングした時の感覚と大きく異なり、そのためゴルフ練習具を用いた練習の効果を実際のラウンドプレーに反映させにくくなる。これらの点を勘案すれば、軽量のゴルフ練習具に、スイング時に適当な重量感を与えられるようにすることが好ましいといえる。【００３２】  そこで、この発明では、上記第１シャフト体２と上記第２シャフト体３を軽量構造とするとともに、該各シャフト体２，３の他端２ｂ、３ｂ側に錘体１０を設けたものである。即ち、ゴルフ練習具を持ってスイングをする場合、このスイングによって体感される重量感は、スイングによってゴルフ練習具に作用する遠心力に依存するため、この遠心力を効果的に利用すれば良いところ、この遠心力は、スイング時の回転速度を一定とすれば、回転体（即ち、ゴルフ練習具）の質量と回転中心から重心位置までの距離によって支配されるので、質量効果が最も得られる位置、即ち、各シャフト体２，３の他端２ｂ、３ｂ側に錘体１を配置したものであり、これによってゴルフ練習具の軽量化とスイング時の重量感の確保とが両立され、軽量でありながら実際のゴルフクラブを用いたスイングに近い重量感が得られ、延いてはゴルフ練習具の使用促進が図れるとともに、低コスト化が促進されるものである。因みに、例えば、上記錘体１０を備えることなく、上記各シャフト体２，３の重量を増加させて、本願発明のように上記錘体１０を備えたゴルフ練習具と同等の重量をもつように構成した場合には、重心位置がゴルフ練習具の軸方向の中央近傍に位置するため該重心と回転中心との距離が短くなり、重量感が半減するので好ましくない。
【図面の簡単な説明】
【００３３】
【図１】  本願発明の実施の形態に係るゴルフ練習具の全体斜視図である。
【図２】  図１のＩＩ矢視図である。
【図３】  図２のＩＩＩ部の拡大図である。
【図４】  図３のＩＶ−ＩＶ矢視図である。
【図５】  図３のＶ−Ｖ断面図である。
【図６】  他の構造例における上記図５に対応する図である。
【図７】  本願発明に係るゴルフ練習具の握り状態を示す斜視図である。
【図８】  本願発明に係るゴルフ練習具の握り状態を示す正面図である。
【図９】  図２のＩＸ−ＩＸ断面図である。
【図１０】  図９のＸ−Ｘ矢視図である。
【図１１】  本願発明に係るゴルフ練習具を使用したスイング時における姿勢の変化状態説明図である。
【図１２】  本願発明に係るゴルフ練習具を使用してスイングした場合における使用者の視認形体の説明図である。
【図１３】  一般的なゴルフクラブを使用したときのアプローチ姿勢を示す概念図である。
【発明を実施するための形態】
【００３４】  以下、本願発明を好適な実施形態に基づいて具体的に説明する。
【００３５】  図１及び図２には、本願発明の実施形態に係るゴルフ練習具１を示している。このゴルフ練習具１は、所定長さの木製直棒体で構成され且つその一端２ａ側にグリップ部６が設けられた第１シャフト体２と、上記第１シャフト体２よりも所定寸法だけ長さの短い木製直棒体で構成され且つその一端３ａ側にグリップ部７が設けられた第２シャフト体３を備えて構成される。そして、上記第１シャフト体２と上記第２シャフト体３は、その長さの差に対応するように、上記第１シャフト体２の上記グリップ部６と上記第２シャフト体３の上記グリップ部７とをその軸方向において所定寸法だけ偏位させた状態で、所定間隔をもって平行に配置されるとともに、これら各シャフト体２，３を、上記第１シャフト体２の他端２ｂ寄り位置と上記第２シャフト体３の他端３ｂ寄り位置の間に配置された先端側継材４と、上記第１シャフト体２の上記グリップ部６寄り位置と上記第２シャフト体３の上記グリップ部７寄り位置の間に配置された基端側継材５とによって、一体的に連結され、これによって上記ゴルフ練習具１が構成される。また、上記第１シャフト体２のグリップ部６と上記第２シャフト体３の上記グリップ部７には、それぞれテーピング等の滑り止めが施されている。
【００３６】  因みに、上記第１シャフト体２及び第２シャフト体３は、その外径を２０〜３０ｍｍ程度、長さを上記第１シャフト体２で６００〜７００ｍｍ、上記第２シャフト体３で５００〜６００ｍｍとするのが好適である。また、上記第１シャフト体２と上記第２シャフト体３の対向面間の距離は２０〜２５ｍｍとするのが望ましい。
【００３７】  なお、この実施形態では、軽量化を考慮して、上記第１シャフト体２と上記第２シャフト体３を木製としているが、本願発明は係る構成に限定されるものではなく、例えば他の実施形態ではこれら各シャフト体２，３を樹脂製とかアルミ等の軽量金属製とすることもできる。
【００３８】  また、上記第１シャフト体２と第２シャフト体３は、これに接する看者の視認性を高める観点から、それぞれその表面を異なる色に着色している。この表面色の色選定については、特に明度差が考慮される。例えば、白色と茶色、白色と紺色、黄色と緑色、黄色と紫色等の組み合わせが考えられる。
【００３９】  上記基端側継材５は、所定長さの木製棒体で構成され、その両端は上記第１シャフト体２及び上記第２シャフト体３に対して接着あるいはビス止めによって連結固定される。なお、この基端側継材５も、木製とするのに限定されるものではなく、樹脂製とかアルミ等の軽量金属製とすることもできる。
【００４０】  上記先端側継材４は、上記基端側継材５と同様に、木製、樹脂製あるいは軽量金属製とされるが、この実施形態ではこの先端側継材４の部分に錘体１０の機能を付加するようにしていることから、該先端側継材４の素材との関係に基づいて上記各シャフト体２、３との連結構造を設定している。
【００４１】  図３〜図５は、先端側継材４にボルト孔１４を形成し、このボルト孔１４に挿通された固定ボルト１５の両端部分に、上記第１シャフト体２及び第２シャフト体３側の座穴１１に配置されたナット１６を掛けて上記第１シャフト体２と第２シャフト体３をその間に上記先端側継材４を介在させた状態で締結したものである。なお、上記座穴１１の口縁側には目隠し用のキャップ１３が装着される。
【００４２】  この締結構造では、上記先端側継材４と上記固定ボルト１５及び一対のナット１６の自重が錘体１０として機能するものであり、上記先端側継材４を木製、樹脂製、軽量金属製とした場合の何れにも適用できるものである。しかし、特に上記先端側継材４を木製、樹脂製とした場合で上記固定ボルト１５及びナット１６の自重のみでは上記錘体１０としての重量が不足するような場合には、図６に示すように、上記固定ボルト１５の径寸法を大きくして該固定ボルト１５の自重増加によって上記錘体１０としての重量を確保するようにすれば良い。
【００４３】  続いて、上記ゴルフ練習具１の使用法等について説明する。
図７には上記ゴルフ練習具１のアドレスでのグリップ状態を示している。このゴルフ練習具１の使用に際しては、反利き腕側の手で上記第１シャフト体２のグリップ部６を、利き腕側の手で上記第２シャフト体３のグリップ部７を、それぞれ握ることを基本としており、特にこの実施形態では使用者が右利きである場合を一例として想定しており、従って、左手５５で上記第１シャフト体２のグリップ部６を握り、右手５６で上記第２シャフト体３のグリップ部７を握っている。
【００４４】  このグリップ状態を正面から見たのが図８である。この図８に示されるように、グリップ状態では、上記ゴルフ練習具１の上記第１シャフト体２と上記第２シャフト体３が上下方向に重合するように該ゴルフ練習具１の軸心回りの方向が設定される。そして、この場合、使用者は、例えば、ゴルフクラブがウッドヘッド６１をもつものではそのクラブフェース６３のフェース上縁線６４の方向を上記第１シャフト体２の軸心Ｐ１と上記第２シャフト体３の軸心Ｐ２を結ぶ直線の方向と合致させ、またゴルフクラブがアイアンヘッド６２をもつものではそのクラブフェース６３のフェース上縁線６４の方向を上記第１シャフト体２の軸心Ｐ１と上記第２シャフト体３の軸心Ｐ２を結ぶ直線の方向と合致させるようにイメージしている。
【００４５】  従って、このアドレス状態における使用者の左腕５３と右腕５４の角度状態を維持したまま、ティクバックされ、さらにトップからダウンスイングされると、インパクトポイント（即ち、アドレスポイント）では、ウッドヘッド６１又はアイアンヘッド６２のクラブフェース６３がそのゴルフクラブの番手に対応して設定されたロフト角でボールを打撃することになり、最も理想的なスイングが実現されることになる。
【００４６】  しかし、実際には、例えアドレスでは上記ゴルフ練習具１の姿勢が適正な姿勢（即ち、適正なロフト角が得られる姿勢）に設定されていたとしても、アドレス後のティクバック時、あるいはトップからのダウンスイング時において上記ゴルフ練習具１の姿勢がずれる可能性があることは既述の通りであり、このようなゴルフ練習具１の姿勢のずれをスイング途中において矯正しながらスイング練習を行って常時適正な姿勢（即ち、適正なクラブフェース６３の向き）で打撃できるようにするのが本願発明のゴルフ練習具１であり、この点に最大の特徴がある。
【００４７】  このゴルフ練習具１を使用してのスイング練習における姿勢矯正の手法は以下の通りである。即ち、図９（イ）に示すように、上記ゴルフ練習具１の姿勢が適正である場合には上記第１シャフト体２と上記第２シャフト体３は上下方向に重合しているため、使用者の視点では図１０（イ）に示すように上記第１シャフト体２と上記第２シャフト体３はこれら何れか一本の投影幅Ｓ１として視認される。
【００４８】  これに対して、上記ゴルフ練習具１がその適正姿勢から軸心回りに回転して姿勢がずれた場合には、図９（ロ）あるいは図９（ハ）のように、上記第２シャフト体３の側方から上記第１シャフト体２の一部が覗いた状態となり、使用者の視点では図１０（ロ）あるいは図１０（ハ）に示すように、上記第２シャフト体３の投影幅に上記第１シャフト体２の投影幅の一部が加えられた投影幅Ｓ２あるいは投影幅Ｓ３として視認され、これによって使用者は上記ゴルフ練習具１の姿勢のずれを容易に認識できることになる。このようなずれの認識は投影幅の変化という形状的な観点からの認識であるが、さらにこの実施形態では既述のように上記第１シャフト体２と上記第２シャフト体３の表面を明度差の大きい異なる色で着色しているため、上記ゴルフ練習具１の姿勢のずれ、即ち、上記第１シャフト体２と第２シャフト体３の側方へのずれを色彩的にも認識でき、これら形状面での認識と色彩面での認識の相乗効果によって、上記ゴルフ練習具１のずれがより一層容易且つ確実に認識されるものである。なお、図１０においては、説明の都合上、第１シャフト体２にハッチングを付し、上記第２シャフト体３にはハッチングを付さないことで、便宜的に着色を表現している。
【００４９】  ここで、図１１には、ティクバックのトップポイント（図１１（イ））からインパクトポイント（図１１（ニ））を経てフィニシュ（図１１（ト））に至るダウンスイング状態を正面視した場合を示している。この正面視においては、インパクトポイント（図１１（ニ））では上記ゴルフ練習具１の上記第１シャフト体２と第２シャフト体３が重合して一本のシャフトのように見えるが、このインパクトポイントからトップポイント側に近づくに伴って、またインパクトポイントからフィニシュポイントに近づくに伴って、上記第１シャフト体２と上記第２シャフト体３のずれ幅が漸増していることがわかる。
【００５０】  一方、図１２には、使用者を中心において、ダウンスイングの初期（図１１（ロ）の状態）からフォロスルー後期（図１１（ヘ）の状態）までの間における使用者の視認形体を略示している。この図１２に示すように同図（ロ）の位置から同図（ヘ）の位置まで上記第１シャフト体２と上記第２シャフト体３が重合していると認識されるのが理想的なスイングであって、この第１シャフト体２と第２シャフト体３がずれたことが認識された場合は、上記ゴルフ練習具１の姿勢がアドレスポイント（図１１（ニ））で設定された適正姿勢からずれたということであり、使用者はそのスイング時にこのズレを認識した場合にはこれを修正しながらスイングを行えば良い。係る修正を伴うスイングを繰り返して練習することで、次第に理想的なスイングを体得することができ、上記ゴルフ練習具１の本来的な目的が達成されることになる。なお、図１１の付記号（ロ）〜（ヘ）は、図１２の付記号（ロ）〜（ヘ）に対応している。
【００５１】  また、この実施形態のゴルフ練習具１では、上記第１シャフト体２及び第２シャフト体３を木製としてその軽量化を図る一方、上記先端側継材４部分に上記錘体１０を設定し、上記ゴルフ練習具１のスイング時に、通常のゴルフクラブをもってスイングした場合に近い重量感を体感しながらスイング練習を行うことができることから、スイング練習の効果が実際のラウンドプレーにおいて無意識のうちに反映されることになる。
【符号の説明】
【００５２】  １    ・・ゴルフ練習具
２    ・・第１シャフト体
３    ・・第２シャフト体
４    ・・先端側継材
５    ・・基端側継材
６    ・・グリップ部
７    ・・グリップ部
１０  ・・錘体
【図１】
2012016554.tif 000003
【図２】
2012016554.tif 000004
【図３】
2012016554.tif 000005
【図４】
2012016554.tif 000006
【図５】
2012016554.tif 000007
【図６】
2012016554.tif 000008
【図７】
2012016554.tif 000009
【図８】
2012016554.tif 000010
【図９】
2012016554.tif 000011
【図１０】
2012016554.tif 000012
【図１１】
2012016554.tif 000013
【図１２】
2012016554.tif 000014
【図１３】
2012016554.tif 000015